(57)【要約】  本発明は、二つの異なる相対位置で互いに結合可能な第１レバー（１）及び第２レバー（２）を備えた作動／ロックレバー機構（１，２）を備える自動車ドア用ロックに関する。少なくとも一つの第１レバー（１）は、他の第２レバー（２）上の少なくとも一つの回り止め外形と協働する為に、これに連結された回り止めバネ（５）を備える。
2015515560.tif 000002
【特許請求の範囲】
【請求項１】
少なくとも２つの異なる相対位置において互いに結合可能な第１レバー（１）及び第２レバー（２）を備えた作動／ロックレバー機構（１，２）を備える自動車ドア用ロックであって、
少なくとも一つの前記第１レバー（１）は、他方の第２レバー（２）における少なくとも一つの回り止め外形（６）と協働する為に、それに連結された回り止めバネ（５）を備えることを特徴とする、自動車ドア用ロック。
【請求項２】
前記回り止めバネ（５）は、前記第１レバー（１）上に形成されることを特徴とする、請求項１に記載の自動車ドア用ロック。
【請求項３】
前記回り止めバネ（５）を備えた前記第１レバー（１）は、固定レバー（１）として、前記回り止め外形（６）を備えた前記第２レバー（２）は、前記固定レバー（１）と比べて異なる回り止め位置において配置可能な回り止め外形として、設計されることを特徴とする、請求項１又は２に記載の自動車ドア用ロック。
【請求項４】
前記回り止めバネ（５）及び前記回り止めレバー（２）は、同一平面に配置されていることを特徴とする、請求項１〜３のいずれか一項に記載の自動車ドア用ロック。
【請求項５】
前記回り止めバネ（５）及び前記回り止めレバー（２）は、異なる平面に配置されていることを特徴とする、請求項１〜３のいずれか一項に記載の自動車ドア用ロック。
【請求項６】
前記回り止めバネ（５）及び前記回り止めレバー（２）は、互いに垂直に配置されていることを特徴とする、請求項１〜５のいずれか一項に記載の自動車ドア用ロック。
【請求項７】
前記回り止めレバー（２）は、回転軸（３）において前記固定レバー（１）上に取り付けられていることを特徴とする、請求項１〜６のいずれか一項に記載の自動車ドア用ロック。
【請求項８】
前記回り止めバネ（５）は、前記回転軸（３）の前記領域において配置されていることを特徴とする、請求項７に記載の自動車ドア用ロック。
【請求項９】
前記バネ（５）は、軸方向の力（Ｆ）及び／又は前記回転軸（３）の前記軸方向に対して垂直の力と共に、前記回り止めレバー（２）に作用することを特徴とする、請求項７又は８に記載の自動車ドア用ロック。
【請求項１０】
前記回り止めバネ（５）は、板バネ（５）として、前記回り止め外形（６）は、少なくとも部分的に前記板バネ（５）を収容する回り止め凹部（６）として、設計されることを特徴とする、請求項１〜９のいずれか一項に記載の自動車ドア用ロック。
【請求項１１】
前記回り止めバネ（５）は、バネワッシャー（５）として、前記回り止め外形（６）は、前記回り止めレバー（２）上の突起（１１）と協働する停止エッジ（６）として、設計されることを特徴とする、請求項１〜１０のいずれか一項に記載の自動車ドア用ロック。
【請求項１２】
前記回り止めレバー（２）は、少なくとも３つの異なる回り止め位置をとるように設計されることを特徴とする、請求項１〜１１のいずれか一項に記載の自動車ドア用ロック。
【請求項１３】
前記回り止めレバー（２）は、前記回り止めバネ（５）によって単独で前記回り止め位置の少なくとも一つで固定可能であることを特徴とする、請求項１〜１２のいずれか一項に記載の自動車ドア用ロック。
【請求項１４】
前記回り止めレバー（２）は、前記回り止めバネ（５）及び停止部（７，８）を用いて、少なくとも一つの回り止め位置で固定可能であることを特徴とする、請求項１〜１３のいずれか一項に記載の自動車ドア用ロック。
【請求項１５】
前記回り止めレバー（２）は、アンロックレバー、特に、高速リリースレバーとして、設計されることを特徴とする、請求項１〜１４のいずれか一項に記載の自動車ドア用ロック。
【発明の詳細な説明】
【説明】
【０００１】
本発明は、第１レバー及び第２レバーを備えた作動／ロックレバー機構付き自動車ドア用ロックであって、両方のレバーが少なくとも２つの異なる相対位置で互いに結合可能な自動車ドア用ロックに関する。
【０００２】
ＤＥ  ２３  ５５  ５５６  Ａに開示された従来技術は、２つのトングアームを備えたトングケースを含むロック機構付き自動車ドア用ロックを記載する。２つのトングアームは、ボルト上に、それぞれ取り付けられている。さらに、トングアームの２つのボルトによって支えられているバネが設けられている。
【０００３】
ＤＥ  ８９  １６  １８０  Ｕ１による一般的な現状技術は、２つのレバー、結合レバー、作動レバーであって、異なる相対的位置において互いに結合可能であるものが開示する。一つの相対的位置は、結合状態に対応するが、他の相対的位置は、非結合状態に対応する。原則として、この配置は、好結果を示すことが分かった。しかしながら、既知の解決策は、運動力学的に複雑な設計になり、結合位置の変更が二重行程の作動によって達成されるので、他の用途には、実際、適切ではない。
【０００４】
いわゆる高速リリース機能を装備した、より近代的な自動車ドア用ロックの変形例において、この高速リリース機能は、例えば、いわゆる「キーレスエントリ」機能の一部として、モータによって行われる実際のアンロック（解錠）動作が短くなることを確実にする。このため、様々な作動動作が必要になり、これを用いて、作動レバーチェーンは、アンロック状態へと直接移動され、或いは、リリースレバーに対する以前に妨害された機械的連結が生み出される（ＤＥ１０  ２００５  ０４３  ２２７  Ｂ３）。この配置は、一般的には好結果であったが、高速リリースユニットに組み込まれたレバー間に使用される継手に関して改良可能である。実際に、このプロセス中に結合された２つのレバーが、それぞれの相対位置で互いに正確に整列されず、故障になる点で、この配置を備えることに一般的な可能性又は危険性がある。本発明は、この状況の改善策である。
【０００５】
本発明は、そのような自動車ドア用ロックを開発する際の技術的問題に基づき、２つのレバー機能、特に、とられる相対的位置の結合が安全かつ再現性可能に達成され、保持される。
【０００６】
【概要】
【０００７】
この問題を解決するために、総称的な本発明の自動車ドア用ロックは、第２レバー上の少なくとも一つの回り止め外形と協働するために連結された回り止めバネを含む少なくとも第１レバーによって特徴付けられる。
【０００８】
回り止めバネは、第１レバーに連結可能である。この状況において、回り止めバネ及び第１レバーが、単一の構成要素を形成し、画成する。しかしながら、一般的に回り止めバネは、あらゆる可能な方式で、第１レバーにも連結可能である。リベット、ボルト等によって、第１レバーに、それぞれの回り止めバネを結合することが可能である。
【０００９】
いずれの場合も、連結された回り止めバネを備えた第１レバーは、他の第２レバーが回り止めバネによって作用されることを確実にする。
【００１０】
このため、回り止め付きレバーは、ほとんどの場合、固定レバーとして設計される。他方、回り止め外形付き第２レバーは、固定レバーに関して異なる回り止め位置で配置可能な回り止めレバーである。これは、その位置を固定レバーが規則正しく維持する一方、回り止めレバーが、異なる回り止め位置への回り止めバネ力に抗して、固定レバーに関して移動されるように設計されることを意味する。たいていの場合、少なくとも２つの回り止め位置が実現可能である。有利な実施形態によると、さらに３つ以上の回り止め位置を定めることができる。
【００１１】
これを詳細に達成するために、回り止めバネ及び回り止めレバーは、同一平面上に配置可能である。この場合、回り止めバネによって用いられるバネ力は、回り止めバネによって作用される回り止めレバーの平面方向に作用する。
【００１２】
しかしながら、回り止めバネ及び回り止めレバーが異なる平面に配置されることも同様に可能であり、実行可能である。この場合、回り止めバネ及び回り止めレバーは、一定角度で互いに規則正しく配置された異なる平面を描く。たいていの場合、回り止めバネ及び回り止めレバーにとって、この状況では、互いに垂直に配置されることが有利であることが分かった。これは、この状態において回り止めレバーによって形成された平面に対して垂直なバネ力を回り止めバネが用いることを意味する。
【００１３】
特に費用効果的かつ良好に機能する解決策は、回転軸において固定レバー上に取り付けられる回り止めレバーによって特徴付けられる。回り止めバネは、回転軸の領域に配置される。この状態において、回り止めバネが確実にすることは、同一平面に配置される回り止めレバー及び回り止めバネの場合、回転軸の軸方向に関する垂直力で回り止めバネが回り止めレバーに作用することである。対照的に、異なる平面において回り止めレバー及び回り止めバネの配置、特に、それらの互いの垂直配置は、回り止めバネが軸方向の力で回り止めレバーに作用する原因になる。この場合、回り止めバネによって用いられるバネ力は、回転軸の軸方向に作用する。一般的に、軸方向の力および回転軸の軸方向に垂直な力は、同様に、回り止めレバーに同時に加えることができる。
【００１４】
好ましい実施形態において、回り止めバネは、板バネである。この場合、一つの第１レバー又は固定レバーは、Ｌ状交差断面を有し、回り止めバネは、Ｌ脚に配置される。その結果、一つの第１レバー又は固定レバー及び回り止めバネは、同時に生産できるので、特に費用効果的である。
【００１５】
回り止め外形は、板バネを少なくとも部分的に収容する回り止め凹部でもよい。そのとき、回り止め凹部は、たいていの場合、停止部も与える。この停止部は、第１回り止め位置を表す。さらに、少なくとも他の第２停止部を設けることができ、これは、固定レバーに関して回り止めレバーの更なる回り止め位置に対応する。
【００１６】
代替え方法の一部として、回り止めバネも、バネワッシャでもよい。幾つかの、そのようなバネワッシャを含むコイルバネも、この状況で設けることが可能である。この場合、回り止め外形は、概して、回り止めレバー上の突起を備えた停止エッジとして設計される。停止エッジは、固定レバーに配置され、回り止めレバー上の突起は、固定レバー上の停止エッジと相互作用する。固定レバーの停止エッジに回り止めレバー上の突起の寄りかかりは、第１回り止め位置に対応する。更なる第２回り止め位置は、更なる停止エッジが固定レバー上で使用されるとき、回り止めレバーによってとられる。固定レバーが長手方向の帯状レバーである場合、２つの長手方向のレバーのエッジは、第１回り止め位置及び第２回り止め位置のために、各々が停止エッジとして利用可能である。
【００１７】
本発明の一部として、回り止めレバーは、少なくとも３つの異なる回り止め位置をとるように設計される。この状況において、回り止めバネ及び回り止めレバーが同一平面に配置されると有利であることが分かった。そのとき、これは、板バネ或いは回り止めバネを固定レバーの一つのＬ脚上に形成させ、回り止めレバーの端部で多角形状外形と協働するオプションを可能にする。この多角形状外形又は多角形構造のエッジ数に従い、理論的には、回り止めレバー及び固定レバー間に、どんな数の回り止め位置を設けることもできる。各回り止め位置は、多角形構造に寄りかかる板バネの一つのエッジに対応する。原則として、この多角形構造は、回り止めバネとしてバネワッシャと組み合わせることも可能である。この場合、多角形構造に広がる軸方向ウェブ（axial webs spanning the polygon structure）をバネワッシャが含むこと、更に、指状スパニング軸方向ウェブに関していわば回転される多角形構造に各回り止め位置が対応することは実行可能である。
【００１８】
回り止めレバーは、固定レバーと比べて、２以上の回り止め位置をとる場合、少なくとも一つの回り止め位置が単独かつ独占的に回り止めバネと共に固定可能である場合、それは、有利であることが分かった。これは、この場合、追加の停止部を有することなく、回り止め位置が回り止めバネ及び回り止め外形間の協働によって単独で定められることを意味する。
【００１９】
他方、幾つかの回り止め位置のうち少なくとも一つは、回り止めバネを用いて、更に、停止部を用いて固定可能である。この場合、一方では、回り止めバネ及び停止部外形間の協働が、他方では、停止部及び回り止めレバーが全体として、それぞれの回り止め位置を回り止めレバーがとることを確実にする。一般的に、回り止めレバーの全ての回り止め位置が固定レバーに関して回り止めバネによって単に固定可能であることも、もちろん実行可能である。また、回り止めレバーがその所望の回り止め位置を固定レバーに関してとることを戻り止めバネ及び各関連停止部が確実にするために、全ての回り止め位置を定められるにすぎない。
【００２０】
好ましくは、回り止めレバーは、アンロックレバーであり、特に、高速リリースレバーである。この場合、回り止めレバーは、アンロックレバーチェーンの一部でもよい。対照的に、固定レバーは、一般的に、作動レバー機構の一部である。高速リリースレバー機能を実施するため、回り止めレバーは、第１回り止め位置又はベース位置と比べて、第２回り止め位置又は変位位置へと旋回される。この動作はモータ駆動又は手動でもよい。この変位位置を肩代わりする回り止めレバー又は高速リリースレバーの結果、ロック機構に作用する高速リリースレバーは、例えば、ロック機構がほとんど遅延することなく開けられるように作動レバーチェーンを経た直接変位が可能である。回り止めレバーの変位位置及びベース位置、高速リリースレバーの変位位置及びベース位置は、回り止めバネとの協働の結果として、正確かつ再現可能にとられるので、全体の動作は、高速であり、信頼性良く動作し、再現可能である。これらが、主な利点である。
【図面の簡単な説明】
【００２１】
以下、たった一つの実施形態を示す図面を参照して、本発明を説明する。
【図１】図１は、本発明の自動車ドア用ロックの第１変形例を示す。
【図２】図２は、図１の対象物のＡ−Ａ線に沿った断面を示す。
【図３】図３は、図１の変形実施形態の拡大図を示す。
【図４】図４は、本発明の自動車ドア用ロックの第２変形例の断面を示す。
【図５】図５は、図４の変形例の上面図を示す。
【発明の詳細な説明】
【００２２】
図は、作動レバー機構１及びアンロックレバー機構２を含む自動車ドア用ロックを示す。実施例は、単に、作動レバー機構１の固定レバー１又は第１レバーを示し、ロックレバー機構２は、第２レバー２によって、単に代表されている。詳細に示されていないが、実際に組み込まれた状態において、作動レバー機構１及びロックレバー機構２は、更に識別されていない他のレバーも含み、これらは、本願ケースにおいて、重要ではない。
【００２３】
通常通り、作動レバー機構１は、概して、機械的にハンドル（例えば、内部ドアハンドル及び／又は外部ドアハンドル）に連結されている。示された自動車ドア用ロックに属する自動車ドアを開く為のハンドル作動により、第１レバー又は固定レバー１は、矢印によって表示されたように、図１に示される実施形態において、反時計回りに、それぞれの回転軸３の周りを旋回する。これらの旋回運動中、回転軸３において固定レバー１上に取り付けられた回り止めレバー２は、表示されたリリースレバーに到達しない。
【００２４】
他方、回り止めレバー２が、その第１回り止め位置又はベース位置（実線によって図示）と比べて、固定レバー１と比べて（点線によって図示）、その変位位置又は第２回り止め位置をとるとき、ハンドルによって始動される、固定レバー１の、既に検討された旋回運動は、リリースレバー４に作用させる。その結果、ハンドルは、リリースレバー４にによって、ロック機構（詳細に図示せず）を開けることができる。トリガーレバー４は、実際、それを回転クラッチから持ち上げる爪（図示せず）に作用する。回転クラッチは、バネを用いて、以前に保持されたロックピンをリリースする。その結果、自動車ドアは、直接、開けられる。
【００２５】
説明された処理は、高速リリースに対応し、これは、実施例において、そのベース位置（実線で図示）から、その偏向された位置（点線で図示）まで、移動される回り止めレバー２によって、手動及び／又はモータを用いて達成される。レバー１，２の両方は、実際に、少なくとも２つの異なる相対位置（説明されたベース位置及び偏向位置）で互いに結合される。第１レバー又は固定レバー１が連結された回り止めバネ５を含むので、この結合は、回り止め結合である。回り止めバネ５は、他の第２レバー又は回り止めレバー２において、少なくとも一つの回り止め外形と協働するように配置される。図１〜図３に示される実施形態において、回り止めバネ５は、第１レバー又は固定レバー１上に形成されている。回り止めバネ５及び第１レバー１は、実際、単一部分構成要素を形成する。
【００２６】
図２の、それぞれの断面図から、単一片回り止めバネ５と一緒である固定レバー１が全体的にＬ状レバー１，５を断面で形成することも明らかである。固定レバー１は、より長いＬ脚を画成するが、回り止めバネ５は、より短いＬ脚に配置される。このように、固定レバー１及び回り止めバネ５は、１回の同一の動作で生産可能であり、コストを最小限に保つ。回り止めバネ５は、板バネ５としても設計される。
【００２７】
回り止めバネ５及び回り止めレバー２は、図１〜図３に示された実施例において、同一平面上に配置されていることが明らかである。これは、回り止めバネ５によって作用されたバネ力Ｆが回り止めレバー２によって画成された平面方向に用いられることを意味する。これは、回り止めバネ５により用いられるバネ力Ｆに対して、それぞれの力の矢印Ｆによって、図１に表示されている。
【００２８】
回り止めレバー２上の、前述された回り止め外形６は、回り止めバネ又は板バネ５に対応する。図１〜図３に示された実施形態において、回り止めバネ５又は板バネ５は、矩形断面を有するので、外形６も四角形の形を有する。その結果、回り止め外形６も、板バネ５の前端部の為の停止部７を形成する。
【００２９】
回り止めバネ５及び回り止めレバー２間の協働および停止部７は、第１回り止め位置または回り止めレバー２のベース位置（固定レバー１に関して図１に実線で図示）を画成する。効果が既に前述されたように、回り止め２が、この位置から偏向された位置（点線で図示）へと外に旋回されるとき、更なる停止部８が設けられ、これが、再び、回り止めバネ５及び回り止め外形６の協働で、画成された回り止めレバー２の変位位置が取られることが確実になる。停止部８は、回り止めバネ５のように、固定レバー１（単一構成要素）上に形成される。製造は、そのため、単純かつ迅速である。実際の機能の為には、面取された回り止めバネ５及び面取されて連結された停止部８を共に備えた固定レバー１を画成し、それから、単に、旋回できるように回り止めレバー２を、回転軸３の助けをかりて、固定レバー１に連結させることで十分である。
【００３０】
図３は、回り止めレバー２が、図１に示された２つの回り止め位置、すなわち、ベース位置及び変位位置をとるように配置されるだけでなく、好都合であることを示す。回り止めレバー２は、また、３つ以上の異なる回り止め位置をとり得る。このため、回り止めレバー２は、図３に示された変形例において、回転軸側における端部の領域で幾つかのエッジ１０を備えた一つの多角形外形９を有する。
【００３１】
多角形外形９のエッジ１０の数に依存して、３，４又はそれ以上の、回り止めレバー２の異なる回り止め位置が画成され、固定レバー１に関して配置可能である。その実施例において、各回り止め位置は、回り止めバネ５と共に単に固定された回り止めレバー２に対応する。換言すると、もちろん、これは可能であり、本願発明の一部であるが、なにも追加の停止部は使用されない。図１〜図３の説明済みの変形例において、回り止めバネ５及び回り止めレバー２は、前述のように、同一平面上に配置される。その設計は、回り止めバネ５が、図１に示されるように、回転軸３の軸方向に対して垂直に伸びるバネ力Ｆ又は力で、回り止めレバー２上に作用するものである。回り止めレバー２は、そのため、切り替え機能を行うことができ、手動又はモータを用いて、ベース位置（図１において実線で図示）から、変位された位置（点線）まで、前述されたように、再び戻って、移動可能である。
【００３２】
理論上、図４及び図５の実施形態は、図１〜図３を参照して既に説明された同一方式で動く。図１〜図３に示された変形例と比較しての主な違いは、図４及び図５に示された実施形態によると、回り止めバネ５及び回り止めレバー２は、互いに一定の角度で配置されている点である。この場合にバネワッシャー５として設計される回り止めレバー５は、回り止めレバー２によって画成された平面に関して、垂直に伸びるバネ力Ｆを用いる。また、図４及び図５に示された変形例において、回り止めバネ５も、固定レバー１上に形成されないが、固定レバー１に、すなわち、回転軸３を経て、連結される。その設計は、実際、図４及び図５に示された変形例において、固定レバー１上の回り止めレバー２の旋回可能な取り付けの為にバネワッシャー５によって作用される連結軸として回転軸３が設計されるような設計である。
【００３３】
回り止めバネ又はバネワッシャー５は、回り止めレバー２が、前記バネ又はワッシャーによって生成されるバネ力Ｆで、回転軸３の軸方向において作用されることを確実にする。この場合、回り止めバネ５は、そのため、軸方向の力を生み出し、これが、図４に表示された方式で回り止めレバー２に作用する。回り止めレバー２の異なる回り止め位置の変更は、固定レバー１と比べて、回り止めレバー２が切替え力Ｆｓによって作用されることを要するが、これは、一つの突起１１の反対側の端部で、図４に示された実施形態において作用する。回り止めレバー２上の突起１１は、実際、固定レバー１上の停止エッジ６と再び協働する。図５から明らかなように、その実施形態は、２つの対向した停止エッジ６を含み、これらは、長手方向に延びる固定レバー１の、それぞれの長手方向エッジに画成されている。
【００３４】
回り止めレバー２が、その実勢位置（図５）又は第１回り止め位置から、点線位置又は第２回り止め位置まで移動される為には、切替え力Ｆｓは、突起１１の反対側の回り止めレバー２の端部に加えられ、突起１１は、固定レバー１の上方に「持ち上げられ」、その後、他方の対向する停止エッジ６にもたれかからなければならない。この場合、図５に示されるように、少なくとも２つの回り止め位置を定めることができる。当然、３つ以上の回り止め位置を定めることも可能である。
【００３５】
図５は、回り止めレバー２の、変位された位置（点線で図示）が、再び、リリースレバー４において作用可能であることを示す。これは、回り止めレバー２がベース位置（実線で表示）にあると可能ではない。このように、図１〜図３に示された変形例を参照して既に詳述されたように、高速リリース機能を再び設けることができる。当然、本発明は、これに限定されるものではなく、重要な要素は、それぞれの機能にかかわりなく、全体的に２つのレバー１，２間の協働である。
【図１】
2015515560.tif 000003
【図２】
2015515560.tif 000004
【図３】
2015515560.tif 000005
【図４】
2015515560.tif 000006
【図５】
2015515560.tif 000007
【国際調査報告】
2015515560.tif 000008
2015515560.tif 000009
2015515560.tif 000010
2015515560.tif 000011
2015515560.tif 000012
2015515560.tif 000013